【事件の表示】
　特願２００１−２７３９６５「レンズ鏡胴」拒絶査定不服審判事件〔平成１５年　３月１９日出願公開、特開２００３−　８４１８６〕について、次のとおり審決する。
【結　論】
　本件審判の請求は、成り立たない。
【理　由】
第１　手続の経緯・本願発明の認定
　本願は、平成１３年９月１０日の出願であって、平成１９年４月１１日付けで拒絶の理由が通知され、平成１９年６月１５日付けで意見書及び手続補正書が提出されたが、平成１９年８月１３日付けで拒絶の査定がされたため、これを不服として平成１９年９月２０日付けで本件審判請求がされたものである。
　そして、当審においてこれを審理した結果、平成２０年５月１４日付けで拒絶の理由を通知したところ、平成２０年７月２２日付けで意見書が提出されたものである。
　
　したがって、本願の請求項１に係る発明（以下、「本願発明」という。）は、平成１９年６月１５日付けで補正された明細書の特許請求の範囲【請求項１】に記載された事項によって特定される次のとおりのものと認める。
　
「レンズ光学系を収容し内外多重に配される第一筒体及び第二筒体を少なくとも有し、前記第一筒体の周面に形成されたカム溝に前記第二筒体の周面に形成されるカムフォロワを係合させ、前記第二筒体の回転により前記カム溝の形状に応じて前記第二筒体を前記第一筒体に対し繰り出し及び繰り込み可能としたレンズ鏡胴において、
　前記カム溝は、前記第一筒体の周面を貫通して形成され、その一部に前記レンズ光学系の光軸方向に対して垂直に形成される垂直領域を有し、
　前記カムフォロワは、前記光軸方向に対し垂直となる側部に前記カム溝の前記垂直領域の側壁に当接する平面状の当接面を有していること、
を特徴とするレンズ鏡胴。」　
　
　
第２　当審の判断　
１　引用刊行物の記載事項
　平成２０年５月１４日付けの拒絶の理由に引用され、本願の出願前に頒布された刊行物である特開２０００−２９２８４５号公報（以下、「引用例１」という。）には、以下の（ア）〜（コ）の記載が図示とともにある。
　
（ア）「【請求項１】  光学機器本体に対し光軸方向への繰出し、沈胴が自在なレンズ鏡胴を備えた光学機器において、
前記レンズ鏡胴が、
前記光学機器本体に対し光軸方向前方に繰り出した繰出状態と光軸方向後方に沈胴した沈胴状態との間で移動自在な、内部にレンズが装備された移動筒組立体と、
前記光学機器本体に対し光軸方向に回転する回転部材を備え該回転部材の回転により前記移動筒組立体を繰出状態と沈胴状態との間で往復動させる駆動筒組立体とを具備し、
前記移動筒組立体と前記駆動筒組立体とのうちの一方の組立体である第１の組立体に、前記駆動筒組立体に対する前記移動筒組立体の繰出し、沈胴を案内するカム溝が設けられてなるとともに、
前記移動筒組立体と前記駆動筒組立体とのうちの他方の組立体である第２の組立体に、前記第１の組立体に設けられたカム溝に係合するカムピンが設けられてなり、
前記第１の組立体がさらに、前記カムピンが前記カム溝により繰出状態に対応する部分に案内されたときの、該カムピンの光軸方向背後に対応する位置に、該カムピンに接するように設けられた壁体を有することを特徴とする光学機器。」
　
（イ）「【０００１】
【発明の属する技術分野】本発明は、光学機器本体に対し光軸方向への繰出し、沈胴が自在なレンズ鏡胴を備えた光学機器、例えばカメラ、電子カメラ、ビデオカメラ、映写機、オーバヘッドプロジェクタ（ＯＨＰ）等に関する。」
　
（ウ）「【０００５】
【発明が解決しようとする課題】ここで、レンズ鏡胴が繰出状態にあるとき、そのレンズ鏡胴はカメラ本体から突出しているためそのレンズ鏡胴の先端が何かにぶつかったりしてカメラ本体側に押圧される危険性がある。
【０００６】ここで、レンズ鏡胴が繰出状態にあるときは、カムピンは、カム溝の、光軸に対して垂直か又は垂直に近い方向に延びる部分に係合しているために、繰出状態にあるレンズ鏡胴に外部から不用意な外力が加えられると、その外力により、カムピンとカム溝との係合箇所に集中応力が作用し、カムピン、カム溝のいずれか一方あるいは双方が破損するおそれがある。  本発明は、上記事情に鑑み、レンズ鏡胴が繰出状態にあるときにレンズ鏡胴先端が押圧されても、カムピンやカム溝の破損が防止されるレンズ鏡胴を備えた光学機器を提供することを目的とする。
【０００７】
【課題を解決するための手段】上記目的を達成する本発明の光学機器は、光学機器本体に対し光軸方向への繰出し、沈胴が自在なレンズ鏡胴を備えた光学機器において、上記レンズ鏡胴が、光学機器本体に対し光軸方向前方に繰り出した繰出状態と光軸方向後方に沈胴した沈胴状態との間で移動自在な、内部にレンズが装備された移動筒組立体と、光学機器本体に対し光軸方向に回転する回転部材を備えその回転部材の回転により移動筒組立体を繰出状態と沈胴状態との間で往復動させる駆動筒組立体とを具備し、移動筒組立体と駆動筒組立体とのうちの一方の組立体である第１の組立体に、駆動筒組立体に対する移動筒組立体の繰出し、沈胴を案内するカム溝が設けられてなるとともに、移動筒組立体と駆動筒組立体とのうちの他方の組立体である第２の組立体に、上記第１の組立体に設けられたカム溝に係合するカムピンが設けられてなり、上記第１の組立体がさらに、上記カムピンが上記カム溝により繰出状態に対応する部分に案内されたときの、そのカムピンの光軸方向背後に対応する位置に、そのカムピンに接するように設けられた壁体を有することを特徴とする。
【０００８】本発明の光学機器は、カム溝により繰出状態に対応する部分に案内されたカムピンの光軸方向背後に対応する位置にそのカムピンに接するように設けられた壁体を有するため、レンズ鏡胴先端が押された場合にカムピンはカム溝との係合部分のみでなくその壁体に接する部分でもその衝撃を受け止めることになり、その衝撃が一箇所に集中せず分散し、カムピンやカム溝の破損が防止される。」
　
（エ）「【００２０】また、このカメラ１０のレンズ鏡胴３０は、２段繰出し、沈胴式のレンズ鏡胴であり、鏡胴カバー３１に覆われた固定筒と、その固定筒に対し回転しながら繰出し、沈胴を行なう回転移動筒３２と撮影レンズユニット３４が組み込まれた直進移動筒３３とから構成されている。このレンズ鏡胴３０が図１に示す沈胴状態から図２に示す繰出状態に移行するにあたっては、固定筒を残したまま回転移動筒３２が回転しながら繰り出され、さらにそれと同時に、その回転移動筒３２の中を、直進移動筒３３が回転を伴なわずにその回転移動筒３２に対しさらに繰り出される。また、これと同様に図２に示す繰出状態から図１に示す沈胴状態に移行するにあたっては、回転移動筒３２は回転しながら固定筒に対し沈胴し、直進移動筒３３は、回転を伴なわずに回転移動筒３２に対し沈胴する。」
　
（オ）「【００２３】図３、図４、および図５は、図１、図２に示すカメラのレンズ鏡胴を、光軸を含む平面で断面して示す図であり、図３は沈胴状態、図４は沈胴状態と繰出状態との中間的な状態、図５は繰出状態をあらわしている。
【００２４】カメラ本体１００の内部に搭載された図示しない電動モータからの回転駆動力が駆動シャフト１０１を経由して駆動ギア１０２に伝えられる。
【００２５】駆動ギア１０２には、駆動リング３１１に設けられた駆動リングギア３１１ａが噛合してあり、駆動ギア１０２が回転するとその回転駆動力は駆動リングギア３１１ａに伝えられ、駆動リング３１１が光軸を中心に回転する。この駆動リング３１１は、カメラ本体１００に固定された固定カム筒３１２の外周を取り巻くリング状の部材である。この駆動リング３１１には、連結リング３１３が、その駆動リング３１１の回転に伴ってその駆動リング３１１と一体的に回転するように嵌合している。この連結リング３１３は駆動リング３１１の前端部で駆動リング３１１に連結しており、固定カム筒３１２の内側に回り込み、その固定カム筒３１２の内側に延びる、間にスリットが形成された２本のアームからなるフォーク部３１３ａが形成されている。このフォーク部３１３ａの２本のアーム間のスリットには、回転移動筒３２の外壁に立設した第１のカムピン３２ａが、光軸方向にスライド自在に挿通されている。この第１のカムピン３２ａは、連結リング３１３のフォーク部３１３ａを突き抜けて、固定カム筒３１２のリング状の内壁面に設けられた第１のカム溝３１２ａと係合している。
【００２６】図６は、固定カム筒３１２の内壁面に設けられた第１のカム溝のパターンを示す図である。
【００２７】図６の横軸は、光軸を中心とした回転方向の角度であり、図の上側が光軸方向後方（カメラ本体側）、下側が光軸方向前方である。この図６に示す、固定カム筒３１２の内壁には、図３〜図５に示す第１のカム溝３１２ａのほか、この第１のカム溝３１２ａとはカムピンとの係合形状（本実施形態では具体的にはカム溝の幅）が異なるもう一種類の第１のカム溝３１２ｂが形成されている。これら二種類の第１のカム溝３１２ａ，３１２ｂは、カムピンとの係合形状は相互に異なるものの、カムピンを案内する経路パターンは、位相が９０°ずれた位置に形成されていることを除き同一である。すなわち、これら２種類の第１のカム溝３１２ａ，３１２ｂは、それらのうちの一方を９０°ずらすともう一方の第１のカム溝に重なる同一のパターンを有する。」
　
（カ）「【００３６】回転移動筒３２の後端部にはその外周にリング状の係合溝３２ｅが設けられており、その係合溝３２ｅには、直進ガイドリング３３１の係合爪３３１ａが係合している。また固定カム筒３１２の内壁には直進ガイドキー溝３１２ｃが形成されており、直進ガイドリング３３１に設けられた直進ガイドキー３３１ｂが嵌入している。
【００３７】したがって、駆動ギア１０２が回転してその回転駆動力が駆動リングギア３１１ａを介して駆動リング３１１に伝えられると、その駆動リング３１１が光軸を中心に回転し、その駆動リング３１１と嵌合している連結リング３１３が駆動リング３１１と一体的に光軸を中心に回転し、その連結リング３１３に備えられたフォーク部３１２ａ，３１２ｂ（フォーク部３１２ｂについては図３〜図５には図示せず、図８参照）で、そのフォーク部３１２ａ，３１２ｂに挟まれた第１のカムピン３２ａ，３２ｂ（第１のカムピン３２ｂも図３〜図５には図示せず、図８参照）を光軸中心に回転させ、これにより、第１のカムピン３２ａ，３２ｂが固設している回転移動筒３２が光軸中心にも回転する。ここで、第１のカムピン３２ａ，３２ｂは、図６に示す形状の第１のカム溝３１２ａ，３１２ｂに係合しているため、回転移動筒３２はその第１のカム溝３１２ａ，３１２ｂの経路パターンに従って回転しながら光軸方向に移動する。ここで、図６に示す第１のカム溝３１２ａ，３１２ｂの経路パターンからわかるように、回転移動筒３２は、同一方向の回転だけで光軸方向に繰り出され、さらに回転することにより沈胴する。また、この回転移動筒３２の内壁面には、第２のカム溝３２ｃが形成されている。この第２のカム溝３２ｃについては後で説明する。
【００３８】上述したように、この回転移動筒３２の後端部のリング状の係合溝３２ｅには直進ガイドリング３３１の係合爪３３１ａが係合しており、この直進ガイドリング３３１の直進ガイドキー３３１ｂが固定カム溝３１２の内壁面に形成された直進ガイドキー溝３１２ｃに嵌入しているため、回転移動筒３２が回転しても直進ガイドリング３１１は回転せず、ただしこの直進ガイドリング３１１は回転移動筒３２の光軸方向の移動にはその回転移動筒３２と一緒に移動する。
【００３９】この直進ガイドリング３１１は、回転移動筒３２の内壁面に沿って筒状に延びており、その部分には内壁面と外壁面とを貫いて光軸方向に直線的に延びるスリット状の直進ガイド溝穴３３１ｃが形成されている。また、その直進ガイドリング３３１のさらに内側には、レンズシャッタ組３４を搭載した直進移動筒３３が配置されている。この直進移動筒３３の外壁面後端部には第２のカムピン３３ａが立設し、その第２のカムピン３３ａは、直進ガイドリング３３に設けられた直進ガイド溝穴３３１ｃを突き抜けて、回転移動筒３２の内壁面に形成された第２のカム溝３２ｃに係合している。」
　
（キ）「【００４６】また、図９に示す２本の第２のカム溝３２ｃ，３２ｄの、繰出状態においてカムピン３３ａ，３３ｂが配置される部分は光軸方向（審決注：段落【００５２】及び図９に照らすと、「光軸に対し垂直な方向」の誤記である。）（図９の左右方向）に延びており、繰出状態に配置された第２のカムピン３３ｃ，３３ｄ（審決注：段落【００５２】及び図９に照らすと、「第２のカムピン３３ａ，３３ｂ」の誤記である。）の光軸方向背後（図９の上側）に対応する位置に補助壁３２ｉ，３２ｊが設けられている。
【００４７】この補助壁３２ｉ，３２ｊは、このレンズ鏡胴が繰出状態にある（カムピン３３ａ，３３ｂがカム溝３２ｃ，３２ｄの、その繰出状態に対応した位置にある）ときにそのカムピン３３ａ，３３ｂに接し、レンズ鏡胴先端が不用意に押されたときにカムピン３３ａ，３３ｂを保護するためのものである。」
　
（ク）「【００５２】ここで、図９にも示す補助壁３２ｉ，３２ｊは、回転移動筒３２の内壁面から直進移動筒３３側に突出しており、図１０、図１１に示すように、カムピン３３ａ，３３ｂが、第２のカム溝３２ｃ，３２ｄの、繰出状態に対応した位置にあるときに、それらのカムピン３３ａ，３３ｂのガイド部３３ａ２，３３ｂ２に光軸方向背後から接触する。こうすることにより、繰出状態にあるレンズ鏡胴の先端が不用意に押されたとき、その衝撃は第２のカムピン３３ａ，３３ｂの、第２のカム溝３２ｃ，３２ｄに係合した係合部３３ａ３，３３ｂ３のみには集中せず、その係合部３３ａ３，３３ｂと案内部３３ａ２，３３ｂ２との双方で受け止められるため、カムピン３３ａ，３３ｂやカム溝３２ｃ，３２ｄの破損が防止される。またカム溝３２ｃ，３２ｄの繰出状態に対応した部分は光軸に対し垂直な方向に延びているため、レンズ鏡胴先端が押されても、カムピン３３ａ，３３ｂの、カム溝３２ｃ，３２ｄとの係合位置がずれてしまうことが防止され、それが原因となって不用意なピンボケ写真が撮影されてしまうことも防止されている。」
　
（ケ）「【００５３】図３〜図５に再度戻って説明を続行する。
【００５４】前述したようにして、転移動筒３２（審決注：「回転移動筒３２」の誤記である。）は、第１のカムピン３２ａ，３２ｂと第１のカム溝３１２ａ，３１２ｂとの作用により回転しながら光軸方向に移動し、それに伴って直進ガイドリング３３１が回転が阻止された状態で光軸方向に関してのみ回転移動筒３２とともに移動する。
【００５５】ここで回転移動筒３２の内壁面には第２のカム溝３２ｃ，３２ｄが形成されており、直進移動筒３３に立設した第２のカムピン３２ａが直進ガイドリング３３１の直進ガイド溝穴３３１ｃを突き抜けて第２のカム溝３２ｃ，３２ｄに係合しているため、回転移動筒３３が回転しながら光軸方向に移動すると、それに伴って、直進移動筒３３は、直進ガイド溝穴３３１ｃにより回転が阻止された状態で光軸方向に移動する。ここで、前述したように、第１のカムピン３２ａ，３２ｂが第１のカム溝３１２ａ，３１２ｂの光軸方向前方に進んだ部分に案内されたときに第２のカムピン３３ｃも第２のカム溝３１２ａ，３１２ｂの、光軸方向前方に進んだ部分に案内されるように各カム溝の経路パターンや各カムピンの配置位置が定められている、このため、回転移動筒３２が光軸方向前方に繰り出されるときに直進移動筒部３３はその回転移動筒３２に対しさらに前方に繰り出されて、図５に示すように、回転移動筒３２が鏡胴カバー３７よりも前方に突出し直進移動筒３３はさらに前方に突出した状態となり、回転移動筒３２が光軸方向後方に沈胴するときに直進移動筒３３もその回転移動筒３２に対し沈胴して、図３に示すように、回転移動筒３２および直進移動筒３３の双方が鏡胴カバー３１の内部に入り込んだ状態となる。ここで、これまでの説明から明らかなように、この繰出し、沈胴の際、回転移動筒３２は回転しながら光軸方向に移動し、直進移動筒３３は回転は伴なわずに直進的に光軸方向に移動する。また、この繰出し、沈胴は駆動リング３１１が一方向に９０°回転するごとに繰出しと沈胴が交互に繰り返される。」
　
（コ）「【００６１】尚、補助壁は、図６に示す第１のカム溝３１２ａ，３１２ｂの繰出状態に相当する部分に隣接した位置に設け、その位置に案内された第１のカムピン３２ａ，３２ｂの光軸方向背後に接するようにしてもよい。このように構成した場合は、駆動リング３１１、固定カム筒３１２、および連結リング３１３を合わせたものが本発明にいう駆動筒組立体に相当し、それ以外の、回転移動端３３（審決注：「回転移動筒３３」の誤記である。）、飾り銘板３６、および直進ガイドリング３３１等を合わせたものが本発明にいう移動筒組立体に相当することになる。
【００６２】上述の実施形態では、第２のカム溝と第２のカムピンとからなる第２のカム機構に関連して本発明に特徴的な壁体を設けたが、本発明の特徴的な壁体を第１のカム溝と第１のカムピンとからなる第１のカム機構に関連して設けてもよく、あるいはそれら第１および第２のカム機構それぞれに関連して設けてもよい。」
　
２　引用例１記載の発明の認定
　引用例１の上記記載事項（ア）（キ）（ク）において引用例１の上記記載事項（コ）に記載されているように「補助壁は、図６に示す第１のカム溝３１２ａ，３１２ｂの繰出状態に相当する部分に隣接した位置に設け、その位置に案内された第１のカムピン３２ａ，３２ｂの光軸方向背後に接するように」したり「本発明の特徴的な壁体を第１のカム溝と第１のカムピンとからなる第１のカム機構に関連して設け」たりすると、固定カム筒３１２がさらに、第１のカムピン３２ａ，３２ｂが第１のカム溝３１２ａ，３１２ｂにより繰出状態に対応する部分に案内されたときの前記第１のカムピン３２ａ，３２ｂの光軸方向背後に対応する位置に前記第１のカムピン３２ａ，３２ｂに接するように設けられた壁体を有することになることは明らかである。
　したがって、引用例１の上記記載事項（ア）乃至（コ）から、引用例１には次のような発明が記載されていると認めることができる。
　
「リング状の内壁面に第１のカム溝３１２ａ，３１２ｂが設けられた固定カム筒３１２と、前記固定カム筒３１２の内側に位置し外壁に第１のカムピン３２ａ，３２ｂが立設された回転移動筒３２と、前記回転移動筒３２の後端部のリング状の係合溝３２ｅに係合爪３３１ａが係合する直進ガイドリング３３１と、前記直進ガイドリング３３１の内側に配置され外壁面後端部に第２のカムピン３３ａ，３３ｂが立設された直進移動筒３３とを有し、前記第１のカムピン３２ａ，３２ｂは前記第１のカム溝３１２ａ，３１２ｂと係合し、前記第２のカムピン３３ａ，３３ｂは前記直進ガイドリング３３１に設けられた直進ガイド溝穴３３１ｃを突き抜けて前記回転移動筒３２の内壁面に形成された第２のカム溝３２ｃ，３２ｄに係合し、前記回転移動筒３２が回転すると、前記回転移動筒３２は前記固定カム筒３１２を残したまま前記第１のカム溝３１２ａ，３１２ｂの経路パターンに従って回転しながら光軸方向前方に繰り出されたり光軸方向後方に沈胴したりし、それと同時に、前記回転移動筒３２の中を前記直進移動筒３３が回転を伴なわずに前記回転移動筒３２に対しさらに繰り出されたり沈胴したりするレンズ鏡胴において、
前記直進移動筒３３には撮影レンズユニットが組み込まれ、
前記固定カム筒３１２がさらに、前記第１のカムピン３２ａ，３２ｂが前記第１のカム溝３１２ａ，３１２ｂにより繰出状態に対応する部分に案内されたときの前記第１のカムピン３２ａ，３２ｂの光軸方向背後に対応する位置に前記第１のカムピン３２ａ，３２ｂに接するように設けられた壁体を有するレンズ鏡胴。」（以下、「引用発明１」という。）
　
　また、引用例１の上記記載事項（ア）乃至（ケ）から、引用例１には次のような発明も記載されていると認めることができる。
　
「リング状の内壁面に第１のカム溝３１２ａ，３１２ｂが設けられた固定カム筒３１２と、前記固定カム筒３１２の内側に位置し外壁に第１のカムピン３２ａ，３２ｂが立設された回転移動筒３２と、前記回転移動筒３２の後端部のリング状の係合溝３２ｅに係合爪３３１ａが係合する直進ガイドリング３３１と、前記直進ガイドリング３３１の内側に配置され外壁面後端部に第２のカムピン３３ａ，３３ｂが立設された直進移動筒３３とを有し、前記第１のカムピン３２ａ，３２ｂは前記第１のカム溝３１２ａ，３１２ｂと係合し、前記第２のカムピン３３ａ，３３ｂは前記直進ガイドリング３３１に設けられた直進ガイド溝穴３３１ｃを突き抜けて前記回転移動筒３２の内壁面に形成された第２のカム溝３２ｃ，３２ｄに係合し、前記回転移動筒３２が回転すると、前記回転移動筒３２は前記固定カム筒３１２を残したまま前記第１のカム溝３１２ａ，３１２ｂの経路パターンに従って回転しながら光軸方向前方に繰り出されたり光軸方向後方に沈胴したりし、それと同時に、前記回転移動筒３２の中を前記直進移動筒３３が回転を伴なわずに前記回転移動筒３２に対しさらに繰り出されたり沈胴したりするレンズ鏡胴において、
前記直進移動筒３３には撮影レンズユニットが組み込まれ、
前記回転移動筒３２がさらに、前記第２のカムピン３３ａ，３３ｂが前記第２のカム溝３２ｃ，３２ｄにより繰出状態に対応する部分に案内されたときの前記第２のカムピン３３ａ，３３ｂの光軸方向背後に対応する位置に前記第２のカムピン３３ａ，３３ｂに接するように設けられた壁体を有するとともに、前記第２のカム溝３２ｃ，３２ｄの繰出状態に対応した部分は光軸に対し垂直な方向に延びているレンズ鏡胴。」（以下、「引用発明２」という。）
　　
３　本願発明と引用発明１の一致点及び相違点の認定
（１）引用発明１の「固定カム筒３１２」、「回転移動筒３２」、「レンズ鏡胴」は、それぞれ、本願発明の「第一筒体」、「第二筒体」、「レンズ鏡胴」に相当する。
　また、引用発明１の「回転移動筒３２」が「前記固定カム筒３１２の内側に位置」していることは、本願発明の「第一筒体及び第二筒体」が「内外多重に配される」ことに相当する。
　さらに、引用発明１の「レンズ鏡胴」では、「回転移動筒３２」が「前記固定カム筒３１２の内側に位置」し、「前記回転移動筒３２の後端部のリング状の係合溝３２ｅに」「直進ガイドリング３３１」の「係合爪３３１ａが係合」し、「前記直進ガイドリング３３１の内側に」「撮影レンズユニットが組み込まれ」た「直進移動筒３３」が「配置され」ているから、引用発明１の「レンズ鏡胴」では、「固定カム筒３１２」及び「回転移動筒３２」の内側に「撮影レンズユニット」が収容されていると認めることができる。したがって、引用発明１の「撮影レンズユニット」を収容する「固定カム筒３１２」及び「回転移動筒３２」が、本願発明の「レンズ光学系を収容」する「第一筒体及び第二筒体」に相当する。
　
（２）引用発明１の「固定カム筒３１２」の「リング状の内壁面に」「設けられた」「第１のカム溝３１２ａ，３１２ｂ」は、本願発明の「第一筒体の周面に形成されたカム溝」に相当し、引用発明１の「回転移動筒３２」の「外壁に」「立設された」「第１のカムピン３２ａ，３２ｂ」は、本願発明の「第二筒体の周面に形成されるカムフォロワ」に相当する。
　したがって、引用発明１の「前記第１のカムピン３２ａ，３２ｂは前記第１のカム溝３１２ａ，３１２ｂと係合」することは、本願発明の「前記第一筒体の周面に形成されたカム溝に前記第二筒体の周面に形成されるカムフォロワを係合させ」ることに相当する。
　
（３）引用例１の上記記載事項（ウ）（ク）（コ）から、引用発明１の「前記固定カム筒３１２」が「前記第１のカムピン３２ａ，３２ｂが前記第１のカム溝３１２ａ，３１２ｂにより繰出状態に対応する部分に案内されたときの前記第１のカムピン３２ａ，３２ｂの光軸方向背後に対応する位置に前記第１のカムピン３２ａ，３２ｂに接するように設けられた壁体を有する」のは、繰出状態にあるレンズ鏡胴の先端が不用意に押されたときの衝撃を、引用発明１の「第１のカムピン３２ａ，３２ｂ」と「第１のカム溝３１２ａ，３１２ｂ」とが接する部分及び引用発明１の「第１のカムピン３２ａ，３２ｂ」と「壁体」とが接する部分の双方で受け止めて、「第１のカムピン３２ａ，３２ｂ」及び「第１のカム溝３１２ａ，３１２ｂ」の破損を防止するためであると認められる。つまり、引用発明１では、「壁体」を設けることよって、繰出状態にあるレンズ鏡胴の先端が不用意に押されたときに「第１のカムピン３２ａ，３２ｂ」が接する部分の大きさを大きくして、繰出状態にあるレンズ鏡胴の先端が不用意に押されたときの衝撃を分散して受け止めるようにすることで、「第１のカムピン３２ａ，３２ｂ」及び「第１のカム溝３１２ａ，３１２ｂ」の破損を防止していると認められる。
　他方、本願発明の「前記カムフォロワは」「前記カム溝の」「側壁に当接する平面状の当接面を有していること」の技術的意義について、本願明細書の段落【００３３】には、「カムフォロワ２３の当接面２３ａがカム溝９の側壁９ｄと広く接触しているため、中間筒７に外力が作用しても、カムフォロワ２３からカム溝９へ力が分散して伝達される。このため、カムフォロワ２３とカム溝９との接触部分が破損しにくい。」と記載されている。
　すると、引用発明１の「前記固定カム筒３１２がさらに、前記第１のカムピン３２ａ，３２ｂが前記第１のカム溝３１２ａ，３１２ｂにより繰出状態に対応する部分に案内されたときの前記第１のカムピン３２ａ，３２ｂの光軸方向背後に対応する位置に前記第１のカムピン３２ａ，３２ｂに接するように設けられた壁体を有する」ことの技術的意義と、本願発明の「前記カムフォロワは」「前記カム溝の」「側壁に当接する平面状の当接面を有していること」の技術的意義は、ともに、レンズ鏡胴の筒体に外力が作用した場合に前記カムフォロワが接する部分の大きさを大きくすることにより、レンズ鏡胴の筒体に外力が作用した場合に前記カムフォロワから前記外力を分散して伝達されるようにして、前記カムフォロワと前記カム溝との接触部分が破損しにくいようにすることである。
　したがって、引用発明１の「前記固定カム筒３１２がさらに、前記第１のカムピン３２ａ，３２ｂが前記第１のカム溝３１２ａ，３１２ｂにより繰出状態に対応する部分に案内されたときの前記第１のカムピン３２ａ，３２ｂの光軸方向背後に対応する位置に前記第１のカムピン３２ａ，３２ｂに接するように設けられた壁体を有する」ことと本願発明の「前記カムフォロワは」「前記カム溝の」「側壁に当接する平面状の当接面を有していること」とは、レンズ鏡胴の筒体に外力が作用した場合に前記カムフォロワが接する部分の大きさを大きくすることにより、前記カムフォロワから前記外力を分散して伝達されるようにして、前記カムフォロワとカム溝との接触部分が破損しにくいようにした点で一致する。
　
（４）したがって、本願発明と引用発明１とは、　
「レンズ光学系を収容し内外多重に配される第一筒体及び第二筒体を少なくとも有し、前記第一筒体の周面に形成されたカム溝に前記第二筒体の周面に形成されるカムフォロワを係合させ、前記第二筒体の回転により前記カム溝の形状に応じて前記第二筒体を前記第一筒体に対し繰り出し及び繰り込み可能としたレンズ鏡胴において、
　前記レンズ鏡胴の筒体に外力が作用した場合に前記カムフォロワが接する部分の大きさを大きくすることにより、前記カムフォロワから前記外力を分散して伝達されるようにして、前記カムフォロワと前記カム溝との接触部分が破損しにくいようにしたこと、
を特徴とするレンズ鏡胴。」
　
である点で一致し、以下の点で相違する。
　
〈相違点１〉
　本願発明の「カム溝」は「第一筒体の周面を貫通して形成され」ているのに対し、引用発明の「第１のカム溝３１２ａ，３１２ｂ」は「固定カム筒３１２」の周面を貫通して形成されていない点。
　
〈相違点２〉
　本願発明の「カム溝」は「その一部に前記レンズ光学系の光軸方向に対して垂直に形成される垂直領域を有し」ており、本願発明の「カムフォロワ」は「光軸方向に対し垂直となる側部に前記カム溝の前記垂直領域の側壁に当接する平面状の当接面を有している」のに対し、引用発明の「第１のカム溝３１２ａ，３１２ｂ」は前記垂直領域が形成されておらず、引用発明の「第１のカムピン３２ａ，３２ｂ」は前記平面状の当接面を有していない点。
　
４　相違点についての判断及び本願発明の進歩性の判断
（１）相違点１について
　カム機構を有するレンズ鏡胴の分野では、カムフォロワが係合されるカム溝を前記カム溝が形成された筒体の周面を貫通して形成することは、本願出願時において当業者に周知の技術的事項である（例えば、特開２００１−２３５６７３号公報（移動筒用カム孔２４、図２，図８、図１０）、特開２００１−１０００８３号公報（移動筒用カム２４、図２、図４）を参照。）。
　すると、引用発明の「第１のカム溝３１２ａ，３１２ｂ」を「固定カム筒３１２」の周面を貫通するように形成することは、当業者であれば容易に想到し得る。
　したがって、相違点１に係る本願発明の発明特定事項を採用することは、当業者にとって想到容易である。
　
（２）相違点２について
ア　引用例１の上記記載事項（ク）によれば、引用発明２において「前記第２のカム溝３２ｃ，３２ｄの繰出状態に対応した部分は光軸に対し垂直な方向に延びている」こととしたのは、「レンズ鏡胴先端が押されても、カムピン３３ａ，３３ｂの、カム溝３２ｃ，３２ｄとの係合位置がずれてしまうこと」を「防止」し、「それが原因となって不用意なピンボケ写真が撮影されてしまうこと」も「防止」するためである。
　そして、引用発明１の「レンズ鏡胴」は「前記回転移動筒３２が回転すると、前記回転移動筒３２は前記固定カム筒３１２を残したまま前記第１のカム溝３１２ａ，３１２ｂの経路パターンに従って回転しながら光軸方向前方に繰り出されたり光軸方向後方に沈胴したりし、それと同時に、前記回転移動筒３２の中を前記直進移動筒３３が回転を伴なわずに前記回転移動筒３２に対しさらに繰り出されたり沈胴したりする」から、引用発明１の「レンズ鏡胴」が繰出状態にある場合には、引用発明１の「撮影レンズユニット」よりもカメラ本体側に「回転移動筒３２」及び「固定カム筒３１２」が位置することになる。すると、引用発明１の「レンズ鏡胴」が繰出状態にある場合において「レンズ鏡胴」先端が押されて第１のカムピン３２ａ，３２ｂの、第１のカム溝３１２ａ，３１２ｂとの係合位置がずれてしまうと、「撮影レンズユニット」とカメラのフィルムや撮像素子との距離が変わってしまうため、不用意なピンボケ写真が撮影されてしまうことは明らかである。
　したがって、引用発明１に引用発明２の「回転移動筒３２がさらに、第２のカムピン３３ａ，３３ｂが第２のカム溝３２ｃ，３２ｄにより繰出状態に対応する部分に案内されたときの前記第２のカムピン３３ａ，３３ｂの光軸方向背後に対応する位置に前記第２のカムピン３３ａ，３３ｂに接するように設けられた壁体を有するとともに、前記第２のカム溝３２ｃ，３２ｄの繰出状態に対応した部分は光軸に対し垂直な方向に延びている」ことを採用して、引用発明１の「第１のカム溝３１２ａ，３１２ｂ」の繰出状態に対応した部分を光軸に垂直な方向に延在させることは、当業者であれば容易に想到し得る。
イ　その際、上記「３　本願発明と引用発明１の一致点及び相違点の認定」の欄の「（３）」の欄で検討したとおり、引用発明１の「前記固定カム筒３１２がさらに、前記第１のカムピン３２ａ，３２ｂが前記第１のカム溝３１２ａ，３１２ｂにより繰出状態に対応する部分に案内されたときの前記第１のカムピン３２ａ，３２ｂの光軸方向背後に対応する位置に前記第１のカムピン３２ａ，３２ｂに接するように設けられた壁体を有する」ことの技術的意義は、「壁体」を設けることよって、繰出状態にあるレンズ鏡胴の先端が不用意に押されたときに「第１のカムピン３２ａ，３２ｂ」が接する部分の大きさを大きくして、繰出状態にあるレンズ鏡胴の先端が不用意に押されたときの衝撃を分散して受け止めるようにすることで、「第１のカムピン３２ａ，３２ｂ」及び「第１のカム溝３１２ａ，３１２ｂ」の破損を防止することであるところ、カム溝とカムフォロワ等カム機構を構成する部材どうしを前記部材の側面で平面的に接触させることは本願出願時において当業者に周知の技術的事項であり（例えば、特開２００１−２３５６７３号公報（台形の板状に形成された移動筒用カムピン２５のガイド溝係合部２５Ｂと固定筒１６の外周面に形成されたガイド溝４９等）、特開２００１−１２４９７２号公報（図１４のカム突起３１と直線カム溝１６）、特開昭４８−３５１４２号公報（菱形カムフォロアー１とカム溝２）、特開平４−１０４１１２号公報（第２頁右上欄第３〜１１行、第３頁左上欄第１９行〜同頁右上欄第１３行、第３頁左下欄第１６行〜同頁右下欄第２行）を参照。）、このようにカム溝とカムフォロワ等カム機構を構成する部材どうしを前記部材の側面で平面的に接触させればカム溝とカムフォロワ等カム機構を構成する部材どうしが側面で接する部分の大きさが大きくなることは自明であるから、引用発明１において「壁体」を設けることによって「前記レンズ鏡胴の筒体に外力が作用した場合に」「第１のカムピン３２ａ，３２ｂ」が接する部分の大きさを大きくすることに代えて、上記周知技術のように「第１のカムピン３２ａ，３２ｂ」の側面に平面状の当接面を設けて、「第１のカムピン３２ａ，３２ｂ」と「第１のカム溝３１２ａ，３１２ｂ」とを平面的に接触させるようにして、「前記レンズ鏡胴の筒体に外力が作用した場合に」「第１のカムピン３２ａ，３２ｂ」が接する部分の大きさを大きくするようにすることは、当業者が適宜なし得る設計変更である。
　したがって、相違点２に係る本願の請求項１に係る発明の構成を採用することは、当業者にとって想到容易である。　
　
（３）本願発明の進歩性の判断
　以上のとおりであるから、上記相違点１，２に係る本願発明の発明特定事項を採用することは当業者にとって想到容易である。
　また、（ｉ）引用発明２の「回転移動筒３２がさらに、第２のカムピン３３ａ，３３ｂが第２のカム溝３２ｃ，３２ｄにより繰出状態に対応する部分に案内されたときの前記第２のカムピン３３ａ，３３ｂの光軸方向背後に対応する位置に前記第２のカムピン３３ａ，３３ｂに接するように設けられた壁体を有するとともに、前記第２のカム溝３２ｃ，３２ｄの繰出状態に対応した部分は光軸に対し垂直な方向に延びている」ことの技術的意義について、引用例１の上記記載事項（ク）には、「繰出状態にあるレンズ鏡胴の先端が不用意に押されたとき、その衝撃は第２のカムピン３３ａ，３３ｂの、第２のカム溝３２ｃ，３２ｄに係合した係合部３３ａ３，３３ｂ３のみには集中せず、その係合部３３ａ３，３３ｂと案内部３３ａ２，３３ｂ２との双方で受け止められるため、カムピン３３ａ，３３ｂやカム溝３２ｃ，３２ｄの破損が防止される」と記載されていることや、（ii）カム溝とカムフォロワ等カム機構を構成する部材どうしをその側面で平面的に接触させることの周知例の一つとして挙げた特開２００１−２３５６７３号公報には、移動筒を固定筒に対して被写体側に繰り出させた突出位置においてガイド溝４９が光軸に対し垂直な方向に延在し且つ前記ガイド溝４９の光軸方向に対し垂直な方向に延在する部分において、前記ガイド溝４９と台形の板状に形成された移動筒用カムピン２５のガイド溝係合部２５Ｂとがその側面で面接触していることが記載されていること等に照らすと、本願発明の効果は、引用例１に記載された発明及び周知技術から予測し得る程度のものである。
　したがって、本願の請求項１に係る発明は引用例１に記載された発明及び周知技術に基づいて当業者が容易に発明をすることができたものである。
　
　
第３　むすび
　以上のとおり、本願発明は引用例１に記載された発明及び周知技術に基いて当業者が容易に発明をすることができたものであるから、本願発明は特許法第２９条第２項の規定により特許を受けることができない。そして、本願発明が特許を受けることができない以上、本願のその余の請求項に係る発明について検討するまでもなく、本願は、拒絶されるべきものである。
　
　よって、結論のとおり審決する。